(57)【要約】本発明は、化粧品として許容される媒質中に、少なくとも１つのポリウレタン及び／ポリウレアユニットを含むマルチブロックポリマーと、ガラス転移温度が40℃以上である少なくとも１つの固定ポリマーとを収容する容器を備えたエアロゾル装置に関し、前記装置は毎秒0.55グラム以上の初期エアロゾル流速を得るために適当なものである。本発明はまた、前記装置の使用を含む、髪のスタイリングまたは髪のセットのための方法、並びにエアロゾルスプレーの製造のためのこれらの使用に関する。【特許請求の範囲】
【請求項１】
流動体及び少なくとも１つのプロペラントから形成される髪用組成物を収容する容器、及び更に該組成物を分配するための手段を備えたエアロゾル装置であって、（１）前記組成物が、化粧品として許容される媒質中に、
（i）組成物の全重量に対して4.5乃至20重量％の、ポリウレタン及び／またはポリウレアブロックを含む少なくとも１つの重縮合物；
（ii）40乃至200℃のガラス転移温度を有する、組成物の全重量に対して0.1乃至5重量％の、重縮合物（i）以外の少なくとも１つの固定ポリマー；
を含むこと；
（２）前記装置が、毎秒0.55グラム以上で、且つ毎秒2グラム以下のエアロゾル組成物の初期流量を供給するために適当であること；
を特徴とするエアロゾル装置。
【請求項２】
エアロゾル組成物の初期流量が、毎秒0.6グラム以上で、且つ毎秒1.5グラム以下であることを特徴とする、請求項１に記載の装置。
【請求項３】
固定ポリマー（ii）のガラス転移温度が、50乃至180℃であることを特徴とする、請求項１または２に記載の装置。
【請求項４】
固定ポリマー（ii）のガラス転移温度が、60乃至170℃であることを特徴とする、請求項１乃至３のいずれか一項に記載の装置。
【請求項５】
重縮合物が、ブロックの配列によって形成され、この配列が、特に
（１）分子毎に２つ以上の活性水素原子を含む少なくとも１つの化合物；
（２）酸ラジカルまたはその塩を含む、少なくとも１つのジオールまたはジオールの混合物；
（３）少なくとも１つのジ-またはポリ-イソシアネート；
から得られることを特徴とする、請求項１乃至４のいずれか一項に記載の装置。
【請求項６】
化合物（１）が、ジオール、ジアミン、ポリエステロール及びポリエーテロール、またはこれらの混合物から選択されることを特徴とする、請求項５に記載の装置。
【請求項７】
化合物（２）が、2,2-ヒドロキシメチルカルボン酸であることを特徴とする、請求項５に記載の装置。
【請求項８】
化合物（３）が、ヘキサメチレンジイソシアネート、イソホロンジイソシアネート、トリレンジイソシアネート、ジフェニルメタン=4,4'-ジイソシアネート、ジシクロヘキシルメタン=4,4'-ジイソシアネート、メチレンビス（p-フェニル）ジイソシアネート、メチレンビス（4-シクロヘキシルイソシアネート）、イソホロンジイソシアネート、トルエンジイソシアネート、1,5-ナフタレンジイソシアネート、4,4'-ジフェニルメタンジイソシアネート、2,2'-ジメチル-4,4'-ジフェニルメタンジイソシアネート、1,3-フェニレンジイソシアネート、1,4-フェニレンジイソシアネート、2,4-トルエンジイソシアネートと2,6-トルエンジイソシアネートとの混合物、2,2'-ジクロロ-4,4'-ジイソシアナトジフェニルメタン、2,4-ジブロモ-1,5-ジイソシアナトナフタレン、1,4-ジイソシアナトブタン、ヘキサン=1,6-ジイソシアネート、及びシクロヘキサン=1,4-ジイソシアネートを含む群から選択されることを特徴とする、請求項５に記載の装置。
【請求項９】
重縮合物が、ポリシロキサン、ポリアルキルシロキサン、またはポリアリールシロキサン、とりわけポリエチルシロキサン、ポリメチルシロキサン、及びポリフェニルシロキサンであって、ケイ素原子上にグラフト化した炭化水素ベースの鎖を任意に含むものを含む群から選択される、シリコーン骨格を有する少なくとも１つの付加的化合物から形成されることを特徴とする、請求項５に記載の装置。
【請求項１０】
ポリマーのポリウレタン及び／またはポリウレアブロックが、下記の一般式Ｉ’：
-Ｘ’-Ｂ-X'-ＣＯ-ＮＨ-Ｒ-ＮＨ-ＣＯ-          （Ｉ’）
[式中、
・Ｘ’は、Ｏ及び／またはＮＨを表し、
・Ｂは、炭化水素ベースの基であり、この基は置換または無置換であって、
・Ｒは、芳香族、Ｃ1乃至Ｃ20の脂肪族、Ｃ1乃至Ｃ20の脂環族タイプであって、置換または無置換である、アルキレン基から選択される二価の基である]
に相当する塩基繰り返しユニットを有することを特徴とする、請求項１乃至４のいずれか一項に記載の装置。
【請求項１１】
Ｂが、Ｃ1乃至Ｃ30の二価の炭化水素ベースの基であることを特徴とする、請求項１０に記載の装置。
【請求項１２】
Ｒ基が、ヘキサメチレン、4,4'-ビフェニレンメタン、2,4-及び／または2,6-トリレン、1,5-ナフチレン、p-フェニレン、及びメチレン-4,4-ビス（シクロヘキシル）基、及びイソホロンから誘導される二価の基を含む群から選択されることを特徴とする、請求項１０または１１に記載の装置。
【請求項１３】
重縮合物が、下記の一般式（II’）：
-Ｘ’-Ｐ-X'-ＣＯ-ＮＨ-Ｒ-ＮＨ-ＣＯ-          （II’）
[式中、
・Ｐはポリシロキサンセグメントであり、
・Ｘ’は、Ｏ及び／またはＮＨを表し、
・Ｒは、芳香族、Ｃ1乃至Ｃ20の脂肪族、Ｃ1乃至Ｃ20の脂環族タイプのアルキレン基（これらの基は置換または無置換である）から選択される二価の基である]
に相当する塩基繰り返しユニットを有することを特徴とする、請求項１乃至４のいずれか一項に記載の装置。
【請求項１４】
組成物の全重量に対する相対重量割合として、少なくとも１つのポリウレタン及び／またはポリウレアブロックを含む重縮合物を4.8乃至15％、更に有利にはこの重縮合物を5乃至12％含むことを特徴とする、請求項１乃至１３のいずれか一項に記載の装置。
【請求項１５】
組成物の全重量に対する相対重量割合として、40乃至200℃のガラス転移温度を有する固定ポリマーを0.5乃至3％、更に有利には0.7乃至2％含むことを特徴とする、請求項１乃至１４のいずれか一項に記載の装置。
【請求項１６】
プロペラントガスが、15乃至70％、好ましくは25乃至60％、更に有利には30乃至50％の相対重量濃度で存在することを特徴とする、請求項１乃至１５のいずれか一項に記載の装置。
【請求項１７】
組成物が、脂肪物質、増粘剤、柔軟剤、起泡防止剤、保湿剤、制汗剤、塩基性化剤、着色剤、顔料、香料、保存料、界面活性剤、本発明のもの以外の炭化水素ベースのポリマー、揮発性または不揮発性シリコーン、特にアニオン性シリコーン、ポリオール、タンパク質及びビタミンを含む群から選択される、通常の化粧品添加物を更に含むことを特徴とする、請求項１乃至１６のいずれか一項に記載の装置。
【請求項１８】
組成物が、40℃未満のガラス転移温度を有する非イオン性、カチオン性、アニオン性、または両性の固定ポリマーを含む群から選択される、少なくとも１つの付加的固定ポリマーを含むことを特徴とする、請求項１乃至１７のいずれか一項に記載の装置。
【請求項１９】
請求項１乃至１８のいずれか一項に記載の装置の使用を含むことを特徴とする、ヘアスタイルの成形または保持のためのヘアケア方法。
【請求項２０】
エアロゾルスプレーの製造のための、請求項１乃至１８のいずれか一項に記載の装置の使用。
【発明の詳細な説明】
【技術分野】
【０００１】
本発明は、化粧品として許容される媒質中に、少なくとも１つのポリウレタン及び／またはポリウレアユニットを含むマルチブロックポリマー、及びガラス転移温度が40℃以上である少なくとも１つの固定ポリマーを収容する容器を含むエアロゾル装置に関し、これらの装置は、毎秒0.55グラム以上のエアロゾル組成物の初期流量を得るために適当である。本発明はまた、これらの装置の使用を含む、ヘアスタイルの成形または保持のための方法に、及びエアロゾルスプレー（ラッカーまたはスプレー）の製造のためのこれらの使用にも関する。
【背景技術】
【０００２】
ヘアスタイルの固定は、ヘアスタイリングの重要な一部であり、これは既に作られた形状の保持または髪の成形、及び同時にこれの固定からなる。この分野においては、ヘアスタイルの長期的且つ確かな固定が望まれており、その一方でヘアスタイルの硬直した固定は回避される。
【０００３】
化粧品市場において最も一般的なヘアスタイルの成形及び／または保持のための髪用製品は、本質的に溶液（通常はアルコール性または水性の溶液）及び１つ以上の物質（一般的にポリマー樹脂であって、その機能は、様々な化粧品補助剤との混合物として髪の間に接合を形成することであり、これらは固定物質として良く知られている）からなるスプレー組成物である。この溶液は、例えば、プロペラントを使用して加圧した適当なエアロゾル容器中に実装して良い。
【０００４】
エアロゾル形態での実装は、製品の比較的均質な分布を困難なく得るため、特に使用者にとって実用的である。しかしながら、このタイプの実装は、環境に有害な揮発性有機化合物（ＶＯＣ）の排出を引き起こすという欠点を有する。これは、特に、組成物を製造するために使用される量の有機溶媒から、及び選択されるプロペラントガスから生じる。従って、もっとも格別な関心は、放出される揮発性有機化合物の量がより少ない、エアロゾル形態に実装される化粧品組成物の製造に示される。
【０００５】
【特許文献１】
独国特許第１９８０７９０８号
【特許文献２】
欧州特許出願第８４５２５７号
【特許文献３】
欧州特許出願第８４８９４１号
【特許文献４】
欧州特許第０７５１１６２号
【特許文献５】
欧州特許第０６３７６００号
【特許文献６】
仏国特許第２７４３２９７号
【特許文献７】
欧州特許第０６４８４８５号
【特許文献８】
欧州特許第８１４７６４号
【特許文献９】
欧州特許第０６５６０２１号
【特許文献１０】
国際特許出願第９４／０３５１０号
【特許文献１１】
欧州特許第０６１９１１１号
【発明の開示】
【発明が解決しようとする課題】
【０００６】
固定ポリマーとしてポリウレタンユニットを含むポリマーを含むヘアスタイリング組成物を調製することは、独国特許第１９８０７９０８号によって既知の操作である。しかしながら、該装置を、非常に優れた品質の固定を提供すると同時に、特に髪に与える美容特性に関して改善してもよい。これらの装置をまた、その収容する組成物を適用した後の髪の、もつれ解けに関して改善してもよい。
【課題を解決するための手段】
【０００７】
驚くべきことにまた予期せぬことに、出願人は、あらゆる予想に反して、第１に化粧品組成物、第２にこの組成物を分配する手段を選択することによって、上述の要求を満たすエアロゾル装置を製造可能であることを見出した。
【０００８】
本発明の主題は、流動体及び少なくとも１つのプロペラントから形成される髪用組成物を収容する容器、及び更に該組成物を分配するための手段を備えたエアロゾル装置であって、
（１）前記組成物が、化粧品として許容される媒質中に、
（i）組成物の全重量に対して4.5乃至20重量％の、ポリウレタン及び／またはポリウレアブロックを含む少なくとも１つの重縮合物；
（ii）40乃至200℃のガラス転移温度を有する、組成物の全重量に対して0.1乃至5重量％の、重縮合物（i）以外の少なくとも１つの固定ポリマー；
を含むこと；
（２）前記装置が、毎秒0.55グラム以上で、且つ毎秒2グラム以下のエアロゾル組成物の初期流量を供給するために適当であること；
を特徴とするエアロゾル装置である。
【０００９】
本発明の別の主題は、このエアロゾル装置の使用を含む、ヘアスタイルの成形または保持のための方法に関する。
【００１０】
本発明の更に別の主題は、エアロゾルスプレー（ラッカーまたはスプレー）の製造のためのこの装置の使用に関する。
【００１１】
本発明によれば、ガラス転移温度は、DSC（示差走査熱量計）によって測定される。本発明によれば、「ガラス転移温度（Tg）」なる語は、乾燥抽出物中の固定物質のTgを意味し、該乾燥抽出物とは流動体中の不揮発性物質または固体の全てからなる。ガラス転移温度は、本出願人によって出願された欧州特許出願第８４５２５７号及び欧州特許出願第８４８９４１号に記載されたプロトコルに従って、25℃±1℃にて、46%±2%の相対湿度にて測定される。
【００１２】
本発明によって特に目標とされる少なくとも１つのポリウレタン及び／またはポリウレアブロックを含む重縮合物は、本出願人が特許権者である、欧州特許第０７５１１６２号、欧州特許第０６３７６００号、仏国特許第２７４３２９７号、欧州特許第０６４８４８５号、及び欧州特許第８１４７６４号に、更にBASF社による欧州特許第０６５６０２１号または国際特許出願第９４／０３５１０号及びNational Starch社による欧州特許第０６１９１１１号に記載のものである。
【００１３】
本発明によって使用される重縮合物は、特に有機または無機の塩基で中和された後には化粧品として許容される媒質中に溶解性であってよく、あるいはまた、この媒質中に分散物を形成しうる。すると、前記分散物は少なくとも0.05%の界面活性剤を含み、これによって前記重縮合物が分散物中に分散され且つ維持される。
【００１４】
本発明によれば、あらゆるタイプの界面活性剤、好ましくは非イオン性界面活性を、前記分散物中で使用して良い。分散物中の重縮合物の平均粒径は、好ましくは0.1乃至1ミクロンである。
【００１５】
例えば、重縮合物は、ブロックの配列によって形成されて良く、この配列は、特に、
（１）分子毎に２つ以上の活性水素原子を含む少なくとも１つの化合物；
（２）酸ラジカルまたはその塩を含む、少なくとも１つのジオールまたはジオールの混合物；
（３）少なくとも１つのジ-またはポリ-イソシアネート；
から得られる。
【００１６】
有利には、化合物（１）は、ジオール、ジアミン、ポリエステロール（polyesterols）及びポリエーテロール（polyetherols）、またはこれらの混合物から選択される。
【００１７】
好ましい化合物（１）は、直鎖状ポリエチレン及びポリプロピレングリコール、特に、触媒として水酸化ナトリウムの存在下においてエチレンオキシドまたはプロピレンオキシドを、水またはジエチレンもしくはジプロピレングリコールと反応させることによって得られるものである。これらのポリグリコールは、一般的に600乃至20000の分子量を有する。
【００１８】
他の好ましい有機化合物は、メルカプト、アミノ、カルボキシル、またはヒドロキシル基を含むものである。これらの中では、特にポリエーテルジオール、ポリエステルジオール、ポリアセタールジオール、ポリアミドジオール、ポリエステルポリアミドジオール、ポリ（アルキレンエーテル）ジオール、ポリチオエーテルジオール、及びポリカーボネートジオール等のポリヒドロキシ化合物が挙げられる。
【００１９】
好ましいポリエーテルジオールは、例えば、エチレンオキシド、プロピレンオキシド、またはテトラヒドロフランの縮合の生成物、そのグラフト化またはブロック共重合または縮合生成物、例えばエチレンオキシド及びプロピレンオキシドの縮合物の混合物、及びオレフィンのアルキレンオキシド縮合物との高圧重合の生成物である。好適なポリエーテルは、例えば、アルキレンオキシドと多価アルコールとの縮合により調製され、例えばエチレングリコール、1,2-プロピレングリコール、及び1,4-ブタンジオールである。
【００２０】
ポリエステルジオール、ポリエステルアミド、及びポリアミドジオールは、好ましくは飽和しており、例えば飽和または不飽和の多価カルボン酸の、多価アルコール、ジアミン、またはポリアミドとの反応によって得られる。アジピン酸、コハク酸、フタル酸、テレフタル酸、及びマレイン酸を、例えばこれらの化合物を調製するために使用して良い。ポリエステルを調製するために適当な多価アルコールには、例えば、エチレングリコール、1,2-プロピレングリコール、1,4-ブタンジオール、ネオペンチルグリコール、及びヘキサンジオールが含まれる。アミノアルコール、例えばエタノールアミンもまた使用して良い。ポリエステルアミドを調製するために適当なジアミンは、エチレンジアミン及びヘキサメチレンジアミンである。
【００２１】
適当なポリアセタールは、例えば、1,4-ブタンジオールまたはヘキサンジオールとホルムアルデヒドとから調製して良い。適当なポリチオエーテルは、例えば、チオグリコール同士の間の、またはこれとエチレングリコール、1,2-プロピレングリコール等の別のグリコールとの、もしくはこれと別のポリヒドロキシル化化合物との縮合反応によって調製して良い。既に尿素またはウレタン基を含むポリヒドロキシル化化合物、天然ポリオール（ヒマシ油及び炭水化物等の、更に変性されて良いもの）もまた、使用して良い。
【００２２】
更に好ましくは、グループ（１）の化合物は、ポリエステロール、特に少なくとも１つの（ジ）ポリオール（１a）と少なくとも１つの酸（１b）との反応によって形成されるポリエステルジオールである。前記（ジ）-ポリオール（１a）は、特に、ネオペンチルグリコール、1,4-ブタンジオール、ヘキサンジオール、エチレングリコール、ジエチレングリコール、プロピレングリコール、ブチレングリコール、ネオペンチルグリコール、及び（ジ）ポリエチレングリコールを含む群から選択される。酸（１b）は、特にフタル酸、イソフタル酸、アジピン酸、及び（ポリ）乳酸を含む群から選択される。
【００２３】
特に使用して良い化合物（２）には、ヒドロキシカルボン酸、例えばジメチロールプロパン酸（DMPA）または2,2-ヒドロキシメチルカルボン酸が含まれる。一般的に、化合物（２）はカップリングブロックとして有用である。好ましい化合物（２）には、少なくとも１つのポリ（（α-ヒドロキシカルボンジオール）酸）を含むものが含まれる。
【００２４】
本発明による特に好ましい化合物（２）は、2,2-ジ（ヒドロキシメチル）酢酸、2,2-ジヒドロキシメチルプロピオン酸、2,2-ジヒドロキシメチル酪酸、及び2,2-ジヒドロキシメチルペンタン酸を含む群から選択されるものである。
【００２５】
ジ-またはポリイソシアネート（３）は、特にヘキサメチレンジイソシアネート、イソホロンジイソシアネート（IPDI）、トリレンジイソシアネート、ジフェニルメタン=4,4'-ジイソシアネート（DPMD）、及びジシクロヘキシルメタン=4,4'-ジイソシアネート（DCMD）、メチレンビス（p-フェニル）ジイソシアネート、メチレンビス（4-シクロヘキシルイソシアネート）、イソホロンジイソシアネート、トルエンジイソシアネート、1,5-ナフタレンジイソシアネート、4,4’-ジフェニルメタンジイソシアネート、2,2'-ジメチル-4,4'-ジフェニルメタンジイソシアネート、1,3-フェニレンジイソシアネート、1,4-フェニレンジイソシアネート、2,4-トルエンジイソシアネートと2,6-トルエンジイソシアネートとの混合物、2,2'-ジクロロ-4,4'-ジイソシアナトジフェニルメタン、2,4-ジブロモ-1,5-ジイソシアナトナフタレン、1,4-ジイソシアナトブタン、ヘキサン=1,6-ジイソシアネート、及びシクロヘキサン=1,4-ジイソシアネートを含む群より選択して良い。
【００２６】
重縮合物は、一般的に重縮合物にとっての鎖延長剤として作用する付加的化合物（４）を使用して形成して良い。これらの化合物（４）は、特に、エチレングリコール、ジエチレングリコール、ネオペンチルグリコール、及びトリエチレングリコール等の飽和または不飽和のグリコール、エタノールアミン、プロパノールアミン、及びブタノールアミン等のアミノアルコール、複素環、芳香族、脂環族、及び脂肪族の第一級アミン、ジアミン、脂肪族、芳香族、及び複素環カルボン酸等のカルボン酸、例えばシュウ酸、コハク酸、グルタル酸、アジピン酸、セバシン酸、及びテレフタル酸、並びにアミノカルボン酸を含む群から選択して良い。好ましい化合物（４）は脂肪族ジオールである。
【００２７】
本発明による重縮合物はまた、シリコーン骨格を含む付加的化合物（５）、例えばポリシロキサン、ポリアルキルシロキサン、またはポリアリールシロキサン、特にポリエチルシロキサン、ポリメチルシロキサン及びポリフェニルシロキサンであって、ケイ素原子上にグラフト化した炭化水素ベースの基を任意に含むものから生成してよい。
【００２８】
有利に使用されるポリマーのポリウレタン及び／またはポリウレアブロックは、下記の一般式Ｉ’：
-Ｘ’-Ｂ-X'-ＣＯ-ＮＨ-Ｒ-ＮＨ-ＣＯ-          （Ｉ’）
[式中、
・Ｘ’は、Ｏ及び／またはＮＨ、
・Ｂは、炭化水素ベースの基であり、この基は置換または無置換であって、
・Ｒは、芳香族、Ｃ1乃至Ｃ20の脂肪族、Ｃ1乃至Ｃ20の脂環族タイプであって、置換または無置換である、アルキレン基から選択される二価の基である]
に相当する塩基繰り返しユニットを有する。
【００２９】
好ましくは、Ｂ基は、１つ以上のカルボキシル官能及び／または１つ以上のスルホン官能を含む基を担持するＣ1乃至Ｃ30基であり、前記カルボキシル及び／またはスルホン官能は、遊離形態であるかまたは、無機または有機の塩基で部分的または完全に中和されている。
【００３０】
Ｒ基は、有利には、下式に相当する基：
【化１】
2004522724.tif 000002
[式中、ｂは０乃至３の整数であり、ｃは１乃至２０、好ましくは２乃至１２の整数である]
から選択される。
【００３１】
特に、Ｒ基は、ヘキサメチレン、4,4'-ビフェニレンメタン、2,4'-トリレン及び／または2,6-トリレン、1,5-ナフタレン、p-フェニレン、及びメチレン-4,4-ビス（シクロヘキシル）及びイソホロンから誘導される二価の基から選択される。
【００３２】
本発明によって使用される、少なくとも１つのポリウレタン及び／またはポリウレアブロックを含む重縮合物は、有利には、その塩基反復ユニットが、下記の一般式（II’）：
-Ｘ’-Ｐ-X'-ＣＯ-ＮＨ-Ｒ-ＮＨ-ＣＯ-          （II’）
[式中、
・Ｐはポリシロキサンセグメントであり、
・Ｘ’は、Ｏ及び／またはＮＨを表し、
・Ｒは、芳香族、Ｃ1乃至Ｃ20の脂肪族、Ｃ1乃至Ｃ20の脂環族タイプのアルキレン基（これらの基は置換または無置換である）から選択される二価の基である]
に相当する少なくとも１つのポリシロキサンブロックを更に含んで良い。
【００３３】
有利には、ポリシロキサンセグメントＰが、以下の一般式：
【化２】
2004522724.tif 000003
[式中、
・Ａ基は同一または相違して良く、第１にエチレン性不飽和を含まない、または実質的に含まないＣ1乃至Ｃ20の一価の炭化水素ベースの基から、第２に芳香族基から選択され、
・Ｙは、二価の炭化水素ベースの基を表し、
・ｚは、ポリシロキサンセグメントの平均分子量が300乃至10000であるように選択される整数を表す]
に相当する。
【００３４】
一般的に、二価の基Ｙは、式-（ＣＨ2）a-（式中、ａは１乃至１０であってよい整数を表す）のアルキレン基から選択される。
【００３５】
Ａ基は、特にメチル、エチル、プロピル、イソプロピル、ブチル、ペンチル、ヘキシル、オクチル、デシル、ドデシル、及びオクタデシル基等のアルキル基、特にシクロヘキシル基等のシクロアルキル基、特にフェニル及びナフチル等のアリール基、特にベンジル及びフェニルエチル等のアリールアルキル基、及び更にトリル及びキシリル基から選択してよい。
【００３６】
好ましくは、重縮合物は、少なくとも１つのシリコーンユニットを含む重縮合物から選択される。
【００３７】
分散手段は、エアロゾル装置の一部を成すものであるが、一般的に分配ヘッドによって制御される分配バルブからなり、前記分配ヘッドそれ自体が、これを通ってエアロゾル組成物が噴霧されるノズルを備えている。
【００３８】
本発明によれば、エアロゾル組成物の初期流速は、エアロゾル装置内の20℃の領域での温度について測定される。実際には、エアロゾル装置を室温に置き、エアロゾル組成物の初期流速は、熱力学的平衡に達した際に測定する。
【００３９】
初期流速は、以前に使用されたことのないエアロゾル装置から、50秒間に亘って放出される製品の平均量である。これは毎秒グラムで表される。
【００４０】
エアロゾル組成物の初期流速（DAC）は、それ以前に使用されていないエアロゾル装置から、単位時間毎に排出されるエアロゾル組成物（流動体＋プロペラント）の量に相当する。これは、g/sで表され、噴霧の前（M0）及び10秒間後（M1）のエアロゾル重量の間の差異によって測定される。
DAC＝（M0−M1）／１０
【００４１】
有利には、本発明によるエアロゾル装置は、毎秒0.6グラム以上、且つ毎秒1.5グラム以下のエアロゾル組成物の初期流量を得るために適当である。
【００４２】
本発明による装置からのエアロゾル組成物の初期流速は、第１に組成物に、第２に分配手段により、前記２つは所望の特徴を得るために適切である必要がある。
【００４３】
上記の通り定義される特定の特徴は、適当な分配手段を選択することによって及び／又は処方を変更することによって得られる。
【００４４】
本発明によって使用される重縮合物は、化粧品として許容される媒質中に可溶性であって良く、あるいはまたこの媒質中に分散物を形成しても良い。そうすると、該分散物は、該重縮合物を分散させ、且つこれを分散状態に維持するために、界面活性剤を少なくとも0.05%含んで良い。
【００４５】
本発明によれば、前記分散物中においてはあらゆるタイプの界面活性剤を使用して良いが、好ましくは非イオン性界面活性剤を使用して良い。分散物中の重縮合物の平均粒径は、好ましくは0.1乃至1ミクロンである。
【００４６】
本発明による組成物は、有利には、組成物全重量に対する相対重量割合として、少なくとも１つのポリウレタン及び／またはポリウレアブロックを含む重縮合物を4.8%乃至15%含み、更に有利にはこの重縮合物を5%乃至12%含む。
【００４７】
本発明による組成物は、有利には、組成物全重量に対する相対重量割合として、40乃至200℃のガラス転移温度を有する固定ポリマーを0.5%乃至3%含み、更に有利にはこの固定ポリマーを0.7%乃至2%含む。
【００４８】
固定ポリマー（ii）のガラス転移温度は、有利には50℃乃至180℃、更に好ましくは60℃乃至170℃である。
【００４９】
40乃至200℃のガラス転移温度を有する固定ポリマーの中で特に挙げることができるのは、BASF社によりLuviskol Plusの名称で市販のポリビニルカプロラクタムである。
【００５０】
本発明によれば、有機溶媒は、特に、エタノールまたはイソプロパノール等のC1乃至C4アルコール、アセトン、メチルエチルケトン、メチルアセテート、ブチルアセテート、エチルアセテート、ジメトキシエタン、及びジエトキシエタン、及びこれらの混合物を含む群より選択される。エタノールが好ましく使用される。
【００５１】
組成物中のプロペラントガスの、組成物全重量に対する相対重量割合は、有利には15%乃至85%、更に有利には25%乃至60%、更にいっそう有利には30%乃至55%である。
【００５２】
本発明によれば、好ましく使用されるプロペラントガスは、組成物中に可溶性または不溶性のガス、例えばジメチルエーテル、フルオロまたは非フルオロ炭化水素、通常の液化ガスまたはこれらプロペラントガスの混合物である。ジメチルエーテルが好ましく使用される。
【００５３】
本発明による組成物は、更に、脂肪物質、増粘剤、柔軟剤、起泡防止剤、保湿剤、制汗剤、塩基性化剤、着色剤、顔料、香料、保存料、界面活性剤、本発明のもの以外の炭化水素ベースのポリマー、揮発性または不揮発性シリコーン、特にアニオン性シリコーン、ポリオール、タンパク質及びビタミンを含む群から選択される、通常の化粧品添加物を含んでも良い。
【００５４】
特に、該組成物に、40℃未満のガラス転移温度を有する別の固定ポリマー、例えば非イオン性、アニオン性、カチオン性、または両性固定ポリマーを添加することは有利でありうる。
【００５５】
本発明は、下記の非限定的実施例の助けを借りてより明確に理解されうる。
【実施例】
【００５６】
（実施例）
下記の組成物１を収容する、本発明による装置が製造される。
・BASF社により市販のLuviset Si Pur                                  5%
・BASF社により市販のLuviskol Plus                                   1%
・脱塩水                                                           14%
・エタノール                                                       35%
・ジメチルエーテル                                                 45%
【００５７】
20℃で測定された初期流速は、毎秒0.58グラムである。
【００５８】
この装置を、ブロー乾燥を施しておいた欧州人の栗茶色の髪のかつらに、組成物１をまず適用するために使用する。
【００５９】
ブロー乾燥は、特に、その力が約60km/時である、送風機によって作り出された風に対して耐性である。
【００６０】
ブロー乾燥を、十名の被験者に行う。組成物１を彼らの髪に適用する。ヘアスタイルは少なくとも４時間の間充分な保持を示す。被験者の髪を、４時間後にスタイリングする。髪は容易にもつれ解け、好ましい感触を有する。
【国際公開パンフレット】
2004522724.tif 000004
2004522724.tif 000005
2004522724.tif 000006
2004522724.tif 000007
2004522724.tif 000008
2004522724.tif 000009
2004522724.tif 000010
2004522724.tif 000011
2004522724.tif 000012
2004522724.tif 000013
2004522724.tif 000014
2004522724.tif 000015
2004522724.tif 000016
2004522724.tif 000017
2004522724.tif 000018
2004522724.tif 000019
2004522724.tif 000020
2004522724.tif 000021
2004522724.tif 000022
【国際公開パンフレット（コレクトバージョン）】
2004522724.tif 000023
【国際調査報告】
2004522724.tif 000024
2004522724.tif 000025
2004522724.tif 000026
2004522724.tif 000027